(57)【要約】【課題】 本発明は携帯端末装置に関し、筐体が回動することによる自分撮りカメラの向きが変わることを防止することを目的とする。【解決手段】携帯端末装置１の第一の筐体１０と第二の筐体２０とが開閉可能に構成されると共に、第三の筐体３０が第二の筐体２０に対して回動可能に軸支されている。第二の筐体２０には、自分撮りカメラ２２が設けられており、第三の筐体３０を第二の筐体２０に対して回動させたとしても、自分撮りカメラ２２の向きを保つことが可能となる。【選択図】図４
2008258906.tif 000002
【特許請求の範囲】
【請求項１】
第一の筐体と、
前記第一の筐体に対して開閉可能に軸支された第二の筐体と、
前記第二の筐体に対して回動可能に軸支された第三の筐体と、
前記第三の筐体に設けられた表示部と、
前記第二の筐体の、前記表示部が面する側と同じ面に設けられた第一の撮像手段と、を備えることを特徴とする、携帯端末装置。
【請求項２】
前記携帯端末装置はさらに、
前記第二の筐体の、前記第一の撮像手段が設けられた面とは反対側の面に設けられた、第二の撮像手段を備えることを特徴とする、付記２に記載の携帯端末装置。
【請求項３】
前記携帯端末装置において、
前記第一の筐体と前記第一の撮像手段とを接続する第一のケーブルと、
前記第一の筐体と前記表示部とを接続する第二のケーブルと、を有し、
前記第一のケーブルおよび前記第二のケーブルとが前記第二の筐体に収納されていることを特徴とする、請求項１に記載の携帯端末装置。
【発明の詳細な説明】
【技術分野】
【０００１】
本発明は携帯端末装置に関する。特に、回動可能に軸支され、左右方向に倒すことが可能な、表示部などが形成された筐体を有する携帯端末装置に関する。
【０００２】
以下、携帯端末装置として携帯電話装置を例示するが、これは本発明が携帯電話装置に限定されることを意図したものではない。
【背景技術】
【０００３】
従来より、カメラを有する携帯電話装置が広く用いられている。一般的には、カメラは周りの写真などを撮影するために用いられている。しかし、最近では例えばテレビ電話などの機能が携帯電話装置にも搭載され始めており、周囲を撮影するためのカメラ（以下「相手撮りカメラ」と称す）とは別に、話者を撮影するためのカメラ（以下「自分撮りカメラ」と称す）を備える携帯電話装置が出現している。
【０００４】
また、携帯電話装置を用いて、ワンセグ（「携帯電話・移動体端末向けの１セグメント部分受信サービス」）などによりテレビ放送を受信することが近年行われている。ここで、通常の携帯電話装置は縦長であるのに対し、テレビの表示画面は横長であることから、テレビ放送の視聴に都合の良いように、表示部が設けられている筐体を横に９０度折り曲げられるように構成した携帯電話装置が実現している。
【０００５】
図６は、自分撮りカメラを備え、且つ表示部を備えた筐体を９０度折り曲げられるようにした携帯電話装置の外観を示す図面である。図６に示されるように、携帯電話装置１００は第一の筐体１１０、第二の筐体１２０および第三の筐体１３０を有する。第一の筐体１１０には、数値などを入力するためのキー１１１が設けられている。また、第二の筐体１２０は、ヒンジ１２１によって第一の筐体１１０に対して開閉可能に軸支される。
【０００６】
第三の筐体１３０には、表示部１３１が設けられている。さらに、第三の筐体１３０の表示部１３１下部には、自分撮りカメラ１３２が設けられている。なお、第三の筐体１３０は、第二の筐体１２０に対して左右に９０度の範囲で倒すことができる。
【０００７】
図７は、第三の筐体１３０を右側に９０度倒した状態を示す図面である。
【特許文献１】特許公開２００７−０４３４７９号公報
【発明の開示】
【発明が解決しようとする課題】
【０００８】
ところが、図６および図７に図示された携帯電話装置では、以下のような問題が生じる可能性がある。
【０００９】
図６および図７に示された携帯電話装置では、回動可能な第三の筐体１３０に自分撮りカメラ１３２が設けられている。その場合、図６に示された状態では問題はないが、図７のように第三の筐体を折り曲げた場合には、第三の筐体１３０に合わせて自分撮りカメラ１３２も回転してしまう。図７の状態では、自分撮りカメラ１３２は９０度横倒しとなっている。
【００１０】
このように、第三の筐体１３０の回転に合わせて自分撮りカメラ１３２が倒されてしまうため、図７のような状態で話者を撮影しようとすると、９０度傾いた話者の画像が撮影されてしまうという問題が生じる。特に、テレビ電話機能を用いて相手に話者の画像を送信した場合、話者側と相手側との画面の配置状態が同じではないと、話者側で撮影した画像が正しく相手側に表示されない。一例として、話者側が図７の状態、相手側が図６の状態にあったとすると、相手側画面には９０度横倒しとなった話者画像が表示されることになり、通話および話者画像の視認に支障を生じてしまう。
【００１１】
一方、自分撮りカメラ１３２を第一の筐体１１０に設けると対応も可能ではある。この場合、自分撮りカメラ１３２は表示部に合わせて回転することがない。しかし、このような折りたたみ式携帯電話装置では、第一の筐体１１０に対して第二の筐体１２０がある程度の角度を持って開くように構成され、第一の筐体１１０の面と第二の筐体の面とが同一平面上に配置されるようには構成されていないのが一般的である。
【００１２】
ここで、話者が自分の姿を撮影しようとする場合、自分撮りカメラで撮影された画像を表示部１３１で確認しながら、自分撮りカメラの位置を合わせる必要がある。しかし、従来の携帯電話装置では、第一の筐体１１０に設けられた自分撮りカメラが向く方向と、表示部１３１が向く方向とが異なっていることから、表示部１３１を視認した状態で利用者が認識している自分撮りカメラの向きと、実際に自分撮りカメラが向いている方向が食い違う可能性が出てくる。そのため、表示部１３１に表示された画像を確認しながらの自分撮りカメラの位置合わせが行いにくいという問題がある。
【００１３】
本発明は、上記の課題に鑑み、より操作性のよい携帯電話装置を実現することを目的とする。
【課題を解決するための手段】
【００１４】
上記課題を解決するために、本発明は、第一の筐体と、第一の筐体に対して開閉可能に軸支された第二の筐体と、第二の筐体に対して回動可能に軸支された第三の筐体と、第三の筐体に設けられた表示部と、第二の筐体の表示部が面する側と同じ面に設けられた第一の撮像手段と、を備える携帯端末装置であることを特徴とする。
【００１５】
特に本発明による携帯端末装置はさらに、第二の筐体の第一の撮像手段が設けられた面とは反対側の面に設けられた第二の撮像手段を備えることを特徴とする。
【００１６】
また、本発明の携帯端末装置は、第一の筐体と前記第一の撮像手段とを接続する第一のケーブルと、第一の筐体と前記表示部とを接続する第二のケーブルと、を有し、第一のケーブルおよび第二のケーブルとが第二の筐体に収納されていることを特徴とする。
【発明の効果】
【００１７】
上記の構成によって、本発明では自分撮りカメラの回転を防ぎつつ表示部の傾きを変えることができるため、自分撮りカメラが傾くことによる種々の問題を解決することが可能となる。
【発明を実施するための最良の形態】
【００１８】
以下、図面を用いて本発明の実施形態による携帯端末装置を説明する。以下は、特に携帯電話装置を対象として説明を進める。
【００１９】
図１は、本実施形態による携帯電話装置１の外観を示す図面である。携帯電話装置１は、入力キー１１などを有する第一の筐体１０、第一の筐体１０に対してヒンジ２１により軸支された第二の筐体２０および、表示部３１が設けられた第三の筐体３０を有する。第三の筐体３０は、第二の筐体２０に対して左右９０度の範囲で回動可能に、第二の筐体２０に軸支されている。
【００２０】
本実施形態では、第二の筐体２０に自分撮りカメラ２２が設けられている。回動する第三の筐体３０には自分撮りカメラが設けられていないため、第三の筐体３０の回動に合わせて自分撮りカメラ３１が回転することが無く、自分撮りカメラ３１によって撮影された話者画像が傾くことを防止できる。
【００２１】
また、第二の筐体２０の面と第三の筐体３０の面とは、ほぼ面一となるように配置されている。つまり、自分撮りカメラ２２が向く方向と、表示部３１が向く方向とがほぼ一致しているため、表示部３１に対する視線と自分撮りカメラ２２に対する視線とがほぼ同一の向きとなり、話者を撮影する際の自分撮りカメラ２２の位置合わせが行いやすくなっている。
【００２２】
図２は、本実施形態による携帯電話装置１の裏面を示した図面である。第二の筐体２０の裏面には、相手撮りカメラ２３が設けられている。このように、第二の筐体２０に自分撮りカメラ２２と相手撮りカメラ２３とを配置しているため、第三の筐体３０を回動させても、自分撮りカメラ２２と相手撮りカメラ２３とのそれぞれの向きは常に一致する。したがって、第三の筐体３０を回動させている場合に、いずれのカメラを用いても正位置での操作と同様な操作で、画像の撮影を行うことが可能となる。
【００２３】
また、図示左右の位置は若干異なるものの、図１に示された自分撮りカメラ２２と図２に示された相手撮りカメラ２３とは、携帯電話装置１の裏表でほぼ同じ位置に取り付けられている。そのために、同じような姿勢で自分撮りカメラ２２と相手撮りカメラ２３とを用いることも可能となる。
【００２４】
図３は、第二の筐体２０の背面カバーを取り外した状態を示している。相手撮りカメラ２３および自分撮りカメラ２２（図３の裏面に配置されるため図３には図示されず）は、いずれも第二の筐体２０に設けられている。カメラで撮影された画像を処理する処理部は、第一の筐体１０に設けられている。そこで、各カメラと第一の筐体１０とがケーブル４１で接続される。なお、ケーブル４１はフラットケーブルによって構成されるものとする。ケーブル４１は、自分撮りカメラと相手撮りカメラ２３との双方に接続されている。
【００２５】
一方、表示部は第三の筐体３０に設けられており、第一の筐体１０と表示部とはケーブル４２で接続されている。なお、ケーブル４２は第三の筐体３０の回動中心４３を介して、表示部に導かれている。また、ケーブル４２は同軸ケーブルなどによって構成されているものとする。
【００２６】
このように、カメラを接続するケーブル４１と、表示部を接続するケーブル４２とを分けることによって、各カメラを第二の筐体２０内に収容することが可能となる。また、自分撮りカメラと表示部とを同じ側に設けることも可能となる。
【００２７】
図４は、第三の筐体３０を右に９０度倒した状態を示している。自分撮りカメラ２２は第二の筐体２０に設けられているため、図４に示されるように、仮に第三の筐体３０を回動させたとしても、自分撮りカメラ２２の傾きは変わらない。図５は、図４に図示された携帯電話装置１を裏面から見た状態を示している。図５に示されるように、相手撮りカメラ２３は第二の筐体２０の裏面に配置されている。自分撮りカメラ２２と同様、第三の筐体３０を回動させても、相手撮りカメラ２３の傾きは全く変わらない。
（付記１）
第一の筐体と、
前記第一の筐体に対して開閉可能に軸支された第二の筐体と、
前記第二の筐体に対して回動可能に軸支された第三の筐体と、
前記第三の筐体に設けられた表示部と、
前記第二の筐体の、前記表示部が面する側と同じ面に設けられた第一の撮像手段と、を備えることを特徴とする、携帯端末装置。
（付記２）
前記携帯端末装置はさらに、
前記第二の筐体の、前記第一の撮像手段が設けられた面とは反対側の面に設けられた、第二の撮像手段を備えることを特徴とする、付記１に記載の携帯端末装置。
（付記３）
前記携帯端末装置において、
前記第一の筐体と前記第一の撮像手段とを接続する第一のケーブルと、
前記第一の筐体と前記表示部とを接続する第二のケーブルと、を有し、
前記第一のケーブルおよび前記第二のケーブルとが前記第二の筐体に収納されていることを特徴とする、付記１に記載の携帯端末装置。
（付記４）
前記携帯端末装置において、
前記第二のケーブルは、前記第二の筐体と前記第三の筐体との回動軸を通して前記第三の筐体に導かれていることを特徴とする、付記３に記載の携帯端末装置。
【図面の簡単な説明】
【００２８】
【図１】本発明の一実施形態による携帯電話装置の外観を示す図面である。
【図２】一実施形態による携帯電話装置の裏面を示す図面である。
【図３】第二の筐体内部の構成を示す図面である。
【図４】第三の筐体を９０度倒した状態の携帯電話装置を示す図面である。
【図５】図４に示された携帯電話装置を裏面から見た状態を示す図面である。
【図６】従来の携帯電話装置を示す図面である。
【図７】従来の携帯電話装置の第三の筐体を９０度倒した状態を示す図面である。
【符号の説明】
【００２９】
１      携帯電話装置
２０    第二の筐体
２２    自分撮りカメラ
２３    相手撮りカメラ
３０    第三の筐体
３１    表示部
【図１】
2008258906.tif 000003
【図２】
2008258906.tif 000004
【図３】
2008258906.tif 000005
【図４】
2008258906.tif 000006
【図５】
2008258906.tif 000007
【図６】
2008258906.tif 000008
【図７】
2008258906.tif 000009